(57)【特許請求の範囲】
【請求項１】
少なくとも内面に熱可塑性樹脂層が積層されると共に開口部の周縁が外側にカールした外巻開口縁部からなる胴部を有する有底状の紙製容器本体と、一方の開口部の周縁が内側にカールした内巻開口縁部を有する紙製筒状体を前記内巻開口縁部が前記紙製容器本体の底部側に位置するように前記紙製容器本体の胴部外側に貼着した二重容器であって、
前記紙製筒状体は、左右両端に胴貼り部を備えた略扇形状のブランクの前記胴貼り部を重ね合わせて接合し、大きい方の開口部の端部に貼着部を有し、小さい方の開口部の端部に前記内巻開口縁部が形成された縦断面視台形状であって、
前記紙製筒状体の高さ方向の前記内巻開口縁部から該内巻開口縁部と対向する他方の開口縁までの長さの中位点を通る中間線から前記他方の開口縁までの範囲内において、前記胴貼り部および前記貼着部の交差する隅に寄った位置に切目線で区画された剥離可能な易剥離領域が形成され、
前記切目線に沿って剥離した前記易剥離領域の前記紙製筒状体の裏面に秘匿情報が設けられており、
前記紙製筒状体が坪量２００〜４５０ｇ／ｍ2 の板紙からなり、
前記易剥離領域を区画する前記切目線は、刃止めを備えたコの字状の切目が施された摘み部と、当該摘み部と対向する位置に刃止めを備えた直線状の切目とが略Ｌ字状のジッパーを介して設けられていることを特徴とする二重容器。
【請求項２】
前記易剥離領域が、前記紙製筒状体の前記内巻開口縁部から他方の開口縁に向かう方向の長さより周方向の長さが長くなるように横長に設けられていることを特徴とする請求項１記載の二重容器。
【発明の詳細な説明】
【技術分野】
【０００１】
本発明は、熱湯を注いで調理するインスタント食品、電子レンジ加熱調理食品等の断熱容器として用いられる紙製容器本体とその胴部外側に貼着される紙製筒状体から構成される二重容器に関し、さらに詳しくは、紙製筒状体を剥離すると応募券、抽選番号、点数、籤等の販売促進に用いることができる秘匿情報が表れるようにした二重容器に関するものである。
【背景技術】
【０００２】
従来から、食品等の内容物の販売促進を目的に、食品等の内容物を包装する包装体などに懸賞機能を付与する手段が用いられている。この手段の一つとしては、たとえば、隠蔽性を有する包装体内、たとえば、カップ状容器内に当たり券等を収納し、カップ状容器を開封して、秘匿情報としての「当たり外れ」等の情報が確認できるようになっている。この場合、当たり券は別途準備する必要があると共にこれをカップ状容器内に入れる作業が必要となるなど、工程が煩雑になり、手間隙がかかるという問題があった。
【０００３】
上記問題を解決するために、二重容器の筒状体に切れ目線で区画された領域を設け、この領域を切れ目線に沿って切り取ることにより、この領域の筒状体の裏面ないし容器本体の筒状体側の面に付与された「当たり外れ」等の情報を確認できるようにした二重容器が開示されている（例えば、特許文献１参照）。
【０００４】
しかしながら、上記した二重容器には、秘匿情報が多く、筒状体に形成される切れ目線により区画される領域が大きい円形、具体的には直径３ｃｍ超の場合や、前記筒状体の周方向に平行な切れ目線が設けられる場合、たとえば、切れ目線により区画される領域が矩形状の場合、前記筒状体の一方の開口部の周縁に内側にカールした内巻開口縁部を形成する際に、前記筒状体の周方向に平行な切れ目線で前記筒状体が座屈して、美麗な内巻開口縁部を形成することができないという問題がある。
【０００５】
上記の問題を解決するために、二重容器の筒状体に変形切目線で剥離領域を形成した二重容器が提案されている（例えば、特許文献２参照）。特許文献２に開示された技術により、筒状体の内巻開口縁部を安定して形成することができるようになった。しかしながら、筒状体に用いる紙基材の製造ロットにより、紙の坪量、含水率等のバラツキがあると、ときたま、筒状体の一方の開口部の周縁に内側にカールした内巻開口縁部を形成する際に、変形切目線で筒状体に座屈が発生することがあるのが実情である。
【特許文献１】特開２００３−２７６７３８号公報
【特許文献２】特開２００６−２９８３９１号公報
【発明の開示】
【発明が解決しようとする課題】
【０００６】
そこで本発明は、上記したような諸問題を解決するためになされたものであり、その目的とするところは、紙製筒状体に座屈が生じることを防止でき、内巻開口縁部を安定して形成することができると共に応募券、抽選番号等の秘匿情報を易剥離領域の外側から視認できない部分に設けられた二重容器を提供することである。
【課題を解決するための手段】
【０００７】
本発明の請求項１記載の発明は、少なくとも内面に熱可塑性樹脂層が積層されると共に開口部の周縁が外側にカールした外巻開口縁部からなる胴部を有する有底状の紙製容器本体と、一方の開口部の周縁が内側にカールした内巻開口縁部を有する紙製筒状体を前記内巻開口縁部が前記紙製容器本体の底部側に位置するように前記紙製容器本体の胴部外側に貼着した二重容器であって、前記紙製筒状体は、左右両端に胴貼り部を備えた略扇形状のブランクの前記胴貼り部を重ね合わせて接合し、大きい方の開口部の端部に貼着部を有し、小さい方の開口部の端部に前記内巻開口縁部が形成された縦断面視台形状であって、前記紙製筒状体の高さ方向の前記内巻開口縁部から該内巻開口縁部と対向する他方の開口縁までの長さの中位点を通る中間線から前記他方の開口縁までの範囲内において、前記胴貼り部および前記貼着部の交差する隅に寄った位置に切目線で区画された剥離可能な易剥離領域が形成され、前記切目線に沿って剥離した前記易剥離領域の前記紙製筒状体の裏面に秘匿情報が設けられており、前記紙製筒状体が坪量２００〜４５０ｇ／ｍ2 の板紙からなり、前記易剥離領域を区画する前記切目線は、刃止めを備えたコの字状の切目が施された摘み部と、当該摘み部と対向する位置に刃止めを備えた直線状の切目とが略Ｌ字状のジッパーを介して設けられていることを特徴とする二重容器である。
【０００８】
また、請求項２記載の本発明は、請求項１記載の二重容器において、前記易剥離領域が、前記紙製筒状体の前記内巻開口縁部から他方の開口縁に向かう方向の長さより周方向の長さが長くなるように横長に設けられていることを特徴とするものである。
【発明の効果】
【０００９】
本発明の二重容器は、紙製筒状体の高さ方向の内巻開口縁部から該内巻開口縁部と対向する他方の開口縁までの長さの中位点を通る中間線から他方の開口縁までの範囲内に切目線で区画された剥離可能な易剥離領域を形成したので、紙製筒状体に座屈が生じることなく、内巻開口縁部を安定して形成することができるという効果を奏するものである。
【００１０】
また、紙製筒状体に形成した易剥離領域の裏面に秘匿情報を設けるので、（１）当たり券等を別途準備する必要もなく、容器内に入れるという作業もなく、工程が簡略化できるという効果を奏し、（２）易剥離領域を剥離するまでは秘匿情報が人目に触れることなく隠蔽できるという効果を奏し、（３）易剥離領域を切目線に沿って容易に剥離することができ応募券、抽選番号等の秘匿情報を容易に確認することができるという効果を奏するものである
【００１１】
また、易剥離領域が、紙製筒状体の内巻開口縁部から他方の開口縁に向かう方向の長さより周方向の長さが長くなるように横長に設ける構成とすることにより、より一層、紙製筒状体に座屈が生じることなく、内巻開口縁部を安定して形成することができるという効果を奏するものである。
【発明を実施するための最良の形態】
【００１２】
上記の本発明について、図面等を用いて以下に詳述する。
図１は本発明にかかる二重容器の構造を図解的に示す断面図、図２は本発明にかかる二重容器に用いる紙製筒状体の第１実施形態を示すブランクの概略展開図、図３は図２の裏面を示す図であり、図中の１は二重容器、２は紙製容器本体、３は紙製筒状体、３ａ，３ｂはブランク、２０は胴材、２１は外巻開口縁部、２２は底材、２３は糸じり部、３０は貼着部、３１は内巻開口縁部、３２は胴貼り部、３３はカール成形予定部、３４は他方の開口縁、３４’他方の上端縁、３５は切目線、３５ａは略Ｌ字状のジッパー、３６はカール成形予定部の他方の上端縁側の端部、ｌは高さ方向の長さ、ｒは周方向の長さ、Ｃは中間線、Ｓは中間線から他方の上端縁までの範囲、Ａは易剥離領域、Ａ１は摘み部をそれぞれ示す。
【００１３】
図１は本発明にかかる二重容器の構造を図解的に示す断面図であって、二重容器１は一方の面に熱可塑性樹脂層としてポリエチレン樹脂層が積層された略扇形状のポリエチレンラミネート紙をポリエチレン樹脂層面が内側となるように端縁を重ね合わせて接合して断面が台形状の筒状となした胴材２０の大きい方の開口部を上側にして該開口部の周縁を外側にカールさせて外巻開口縁部２１を形成すると共に下側の小さい方の開口部の下端部を内側に屈曲し形成した折り返し部に、一方の面に熱可塑性樹脂層としてポリエチレン樹脂層を形成した円形状のポリエチレンラミネート紙の外周縁部を下方へ屈曲してポリエチレン樹脂層が凸側の面となるように成形した底屈曲部を備えた断面がコの字形状の底材２２を挿入し、該底屈曲部を胴材２０の下端部と折り返し部とで挟んで加熱圧着して接合した糸じり部２３が形成された有底状の紙製容器本体２と、厚紙を打抜いた略扇形状のブランクの両端縁を重ね合わせて接合して断面が台形状の筒状になすと共に大きいほうの開口部の端部に貼着部３０を備え、小さい方の開口部の周縁を内側にカールさせて内巻開口縁部３１を形成した紙製筒状体３とからなり、紙製容器本体２の底材２２側から紙製筒状体３を紙製容器本体２に挿入して紙製容器本体２の外巻開口縁部２１側と貼着部３０で貼着したものである。
【００１４】
図２は本発明にかかる二重容器に用いる紙製筒状体の第１実施形態を示すブランクの概略展開図である。紙製筒状体３のブランク３ａは、図２に示すように厚紙を略扇形状打ち抜いたものであって、その左右両端部（図２の上下）は胴貼り部３２、紙製筒状体３の高さ方向となる一方の下端縁（図２の右）は内側にカールさせて成形し内巻開口縁部３１となるカール成形予定部３３となっている。カール成形予定部３３と対向する他方の上端縁３４’（筒状となった紙製筒状体３の他方の開口縁３４に相当）には紙製容器本体２の外巻開口縁部２１側と貼着される貼着部３０を備えている。さらに、ブランク３ａには、紙製筒状体３において、高さ方向の内巻開口縁部３１から該内巻開口縁部３１と対向する他方の開口縁３４までの長さの中位点を通る中間線Ｃから他方の上端縁３４’までの範囲Ｓ（網点で示した部分）内に切目線３５で区画された剥離可能な易剥離領域Ａが形成されている。易剥離領域Ａは、カール成形予定部３３から他方の上端縁３４’に向かう高さ方向の長さｌより周方向の長さｒが長くなるように横長に設けられている。なお、図１における中間線Ｃの位置は、図２において、カール成形予定部３３の他方の上端縁３４’側の端部３６から他方の上端縁３４’の中位点を通るものである。易剥離領域Ａは、縦長にすることもできるが、横長に設ける方が、より一層、紙製筒状体３に座屈が生じることなく、内巻開口縁部３１を安定して形成することができるので好ましい。また、易剥離領域Ａは、胴貼り部３２及び貼着部３０に重ならないように形成するのが好ましい。また、易剥離領域Ａの形状は、本例では矩形状としているが、他にも円形、楕円形、三角形等とすることができ、特に限定されるものではない。
【００１５】
易剥離領域Ａを区画する切目線３５は、摘み部Ａ１には刃止めを備えたコの字状の切目が施されると共に略Ｌ字状のジッパー３５ａが施され、摘み部Ａ１と対向する辺には刃止めを備えた直線状の切目が施されて構成されている。切目線３５の形状は、間欠した切目であれば、形状は特に限定されるものではなく、直線、曲線、あるいはその組合せで構成することができる。
【００１６】
このように構成されたブランク３ａは両端部の胴貼り部３２を一方の胴貼り部３２が外側端縁となるように、他方の胴貼り部３２に重ね合わせて接着剤で封筒貼りして断面が台形状の筒状となすと共に小さい方の開口部の周縁に設けられたカール成形予定部３３を内側にカールさせて内巻開口縁部３１を形成することにより紙製筒状体３とすることができる。図３に示すように、切目線３５で区画された剥離可能な易剥離領域Ａの裏面には秘匿情報が設けられている。秘匿情報としては、懸賞への応募のキーとなる応募券番号、抽選番号、籤、たとえば、識別文字列、あるいは、当たり外れの情報、あるいは、抽選の対象となる情報やポイント点数等々などである。本例では、当たり外れの情報として、たとえば、当たりが印字されている。
【００１７】
上記のように構成されたブランク３ａからなる紙製筒状体３を紙製容器本体２に挿着した二重容器１は、紙製筒状体３の易剥離領域Ａに形成された摘み部Ａ１を手指で摘んでコの字状の切目から略Ｌ字状のジッパー３５ａに沿って易剥離領域Ａを剥離することができ、易剥離領域Ａの紙製筒状体３の裏面に設けられた秘匿情報を確認することができる。
【００１８】
次に、本発明にかかる二重容器を構成する材料について説明する。紙製容器本体２の材料としては、紙を基材層として少なくとも内面に熱可塑性樹脂層を積層した積層体を使用している。紙としては主にカップ原紙を使用し、その坪量は、１５０〜４５０ｇ／ｍ2 程度である。そのカップ原紙の内面には、１５〜８０μｍの範囲で低密度ポリエチレン樹脂、中密度ポリエチレン樹脂、高密度ポリエチレン樹脂、線状低密度ポリエチレン樹脂等のポリオレフィン系樹脂層やポリエステル樹脂層が押出しコートされて形成される。このポリオレフィン系樹脂層やポリエステル樹脂は、内容物の板紙への浸透防止、内容物保護適性の向上の他に、底部、カール部、胴貼り部におけるカップ成形性をよくし、蓋材（図示せず）の外巻開口縁部２１におけるヒートシールによる封緘性をも良好にする効果をもたらしている。この紙製容器本体２は、プラスチックを主材料とするプラスチックカップとすることもできる。
【００１９】
一方、紙製筒状体３の材料としては、坪量２００〜４５０ｇ／ｍ2 のカード紙、コートボール紙等の板紙を使用することができる。坪量が、２００ｇ／ｍ2未満であると紙製筒状体３の剛性が低くなりすぎて、特に高熱時に撓みが大きくなりすぎて充分な断熱効果が得られなくなり、また４５０ｇ／ｍ2 を超えると、剛性は高くなるが、内巻開口縁部３１の加工性が低下し、材料コストも高くなるので好ましくない。
【００２０】
次に、本発明の二重容器について、以下に実施例を挙げてさらに詳しく説明する。
【実施例】
【００２１】
［実施例１］
外面側からカップ原紙２５０ｇ／ｍ2 ／低密度ポリエチレン樹脂２５μｍの積層体を使用して、開口部内径が１３０．０ｍｍφ、底外径が１００．０ｍｍφ、高さが１０５．０ｍｍの形状で、内容量が７００．０ｃｃ（満注時）の紙製容器本体２を作製した。
【００２２】
つぎに、コートボール２７０ｇ／ｍ2を使用して、胴貼り部３２の周方向の長さを１０ｍｍとして上端部内径が１３２．０ｍｍφの形状の断面台形状の筒状にし、下端部のカール成形予定部３３を内側にカールさせて内巻開口縁部３１を有する紙製筒状体３を作製し、紙製容器本体２に紙製筒状体３を嵌合して貼着部を接着剤で貼着して二重容器１を作製した。なお、易剥離領域Ａは胴貼り部３２の端縁から２０ｍｍ、他方の開口縁３４から２０ｍｍ離れた位置からｌ＝１５ｍｍ、ｒ＝６０ｍｍの矩形状とし、切目線３５はＬ字状のジッパーとして図２のように設けた。なお、貼着部３０の高さ方向の長さを１５ｍｍとし、中間線Ｃが他方の開口縁３４から５０ｍｍの位置になるようにした。また、易剥離領域Ａの裏面には、あらかじめ、くじの「当たり」「外れ」の印刷を行った。
【００２３】
［実施例２］
易剥離領域の大きさをｌ＝３０ｍｍ、ｒ＝３０ｍｍの四角形とした以外は実施例１と同じにした二重容器を作製した。
【００２４】
［比較例１］
易剥離領域Ａを設ける位置のみ変更し、その他は実施例１と同じ二重容器を作製した。すなわち、易剥離領域Ａは胴貼り部３２の端縁から２０ｍｍ、他方の開口縁３４から５０ｍｍ離れた位置からｌ＝１５ｍｍ、ｒ＝６０ｍｍの矩形状とした。
【００２５】
［比較例２］
易剥離領域Ａを胴貼り部３２の端縁から２０ｍｍ、他方の開口縁３４から６５ｍｍ離れた位置からｌ＝１５ｍｍ、ｒ＝６０ｍｍの矩形状に設けた。易剥離領域Ａの設ける位置以外は実施例１と同じにして二重容器を作製した。
【００２６】
実施例１、２の二重容器は、紙製筒状体に座屈が生じることなく、内巻開口縁部を安定して形成することができ、良好であった。また、易剥離領域を切目線に沿って容易に剥離することができ、籤の「当たり」「外れ」を視認することができた。比較例１，２は紙製筒状体に内巻開口縁部を形成する際に易剥離領域に近接する部分に座屈が発生した。
【図面の簡単な説明】
【００２７】
【図１】本発明にかかる二重容器の構造を図解的に示す断面図である。
【図２】本発明にかかる二重容器に用いる紙製筒状体の第１実施形態を示すブランクの概略展開図である。
【図３】図２の裏面を示す図である。
【符号の説明】
【００２８】
１                                            二重容器
２                                            紙製容器本体
３                                            紙製筒状体
３ａ、３ｂ                                    フランク
２０                                          胴材
２１                                          外巻開口縁部
２２                                          底材
２３                                          糸じり部
３０                                          貼着部
３１                                          内巻開口縁部
３２                                          胴貼り部
３３                                          カール成形予定部
３４                                          他方の開口縁
３４’                                        他方の上端縁
３５                                          切目線
３５ａ                                        略Ｌ字状のジッパー
３６                                          カール成形予定部の他方の上端縁側の端部
ｌ                                            高さ方向の長さ
ｒ                                            周方向の長さ
Ｃ                                            中間線
Ｓ                                            中間線から他方の上端縁までの範囲
Ａ                                            易剥離領域
Ａ１                                          摘み部
【図１】
0005369452.tif 000002
【図２】
0005369452.tif 000003
【図３】
0005369452.tif 000004